(57)【要約】【課題】比較的簡単な構成で、防水機能とアンテナ機能とを両立させた防水携帯端末を提供する。【解決手段】防水用リブ１７と内壁２６との隙間が枠状の防水パッキン３０によって密封されている。また、防水パッキン３０は、導電性材料で形成されており、導電回路３５及び接続端子１３を介して回路基板１２に電気的に接続されている。【選択図】図４
2014057165.tif 000002
【特許請求の範囲】
【請求項１】
端末本体と、該端末本体に収容された回路基板と、該端末本体に収容された充電池を密閉状に覆う電池カバーとを備えた防水携帯端末であって、
前記電池カバーの裏面に立設されて前記充電池の外周を覆うように枠状に形成された防水用リブと、
前記端末本体に形成されて前記防水用リブの外周を覆うように枠状に形成された内壁と、
前記防水用リブと前記内壁との間に設けられて該防水用リブと該内壁との間を密封する枠状の防水パッキンとを備え、
前記防水パッキンは、該防水パッキンの周方向に沿って枠状に延び且つ前記回路基板に電気的に接続された導電部を有することを特徴とする防水携帯端末。
【請求項２】
請求項１において、
前記導電部は、前記防水パッキン全体を導電性材料で形成することによって構成されていることを特徴とする防水携帯端末。
【請求項３】
請求項１において、
前記導電部は、前記防水パッキン表面に一体形成された層状の導電性材料によって構成されていることを特徴とする防水携帯端末。
【請求項４】
請求項３において、
前記防水パッキンの周方向の一部には、非導電性材料で形成された非導電部が設けられ、
前記導電部は、前記非導電部を挟むように該非導電部の一端から前記防水パッキンを一周して該非導電部の他端まで延び、
前記導電部の一端及び他端は、前記回路基板にそれぞれ電気的に接続されていることを特徴とする防水携帯端末。
【請求項５】
請求項１乃至４のうち何れか１つにおいて、
前記防水パッキンには、該防水パッキンの周方向に沿って窪んだ嵌合溝が形成され、
前記防水パッキンは、前記防水用リブの周縁部に前記嵌合溝を嵌合させることで前記電池カバー側に取り付けられていることを特徴とする防水携帯端末。
【請求項６】
請求項１乃至４のうち何れか１つにおいて、
前記防水パッキンは、前記内壁に接着されることで前記携帯端末側に取り付けられていることを特徴とする防水携帯端末。
【発明の詳細な説明】
【技術分野】
【０００１】
本発明は、防水携帯端末に関するものである。
【背景技術】
【０００２】
従来より、携帯電話機のように携帯する機会の多い携帯端末では、防水機能を備えるようになってきている。特に充電池のような電気部品を覆うカバーには、高い防水性が要求される。
【０００３】
例えば、特許文献１には、筐体を密封するための第１及び第２のパッキンとを備えた防水装置が開示されている。この防水装置では、筐体とカバーとは、カバーが開口部を閉成したときに、第１のパッキンを圧縮すると共に第２のパッキンを挟んで対向し、筐体とカバーとに加わる押圧力に応じて第２のパッキンを圧縮して防水性を保つようにしている。
【０００４】
また、このような携帯電話機では、電波を送受信するためのループアンテナを備えた構成が知られている（例えば、特許文献２参照）。ループアンテナは、その外径が大きいほど受信感度を高めるのに有利であるので、例えば、電池カバーの裏面全体に広がるようにループアンテナを配置することが行われる。
【先行技術文献】
【特許文献】
【０００５】
【特許文献１】特開２０１１−２３９０９９号公報
【特許文献２】特開平１１−００４１１２号公報
【発明の概要】
【発明が解決しようとする課題】
【０００６】
しかしながら、従来の防水装置では、ループアンテナを別途取り付けてアンテナ機能を備えた構成にすると、部品点数が増えてコストアップにつながるという問題があった。
【０００７】
本発明は、かかる点に鑑みてなされたものであり、その目的は、比較的簡単な構成で、防水機能とアンテナ機能とを両立させた防水携帯端末を提供することにある。
【課題を解決するための手段】
【０００８】
本発明は、端末本体と、該端末本体に収容された回路基板と、該端末本体に収容された充電池を密閉状に覆う電池カバーとを備えた防水携帯端末を対象とし、次のような解決手段を講じた。
【０００９】
すなわち、第１の発明は、前記電池カバーの裏面に立設されて前記充電池の外周を覆うように枠状に形成された防水用リブと、
前記端末本体に形成されて前記防水用リブの外周を覆うように枠状に形成された内壁と、
前記防水用リブと前記内壁との間に設けられて該防水用リブと該内壁との間を密封する枠状の防水パッキンとを備え、
前記防水パッキンは、該防水パッキンの周方向に沿って枠状に延び且つ前記回路基板に電気的に接続された導電部を有することを特徴とするものである。
【００１０】
第１の発明では、枠状の防水パッキンが導電部を有する構成とし、この導電部を回路基板に電気的に接続させるようにしたから、防水パッキンをループアンテナとして機能させることができる。これにより、１つの防水パッキンで防水機能とアンテナ機能とを両立させることができ、部品点数を削減してコストダウンを図ることができる。
【００１１】
第２の発明は、第１の発明において、
前記導電部は、前記防水パッキン全体を導電性材料で形成することによって構成されていることを特徴とするものである。
【００１２】
第２の発明では、防水パッキン全体が導電性材料で形成されているので、１つの防水パッキンで防水機能とアンテナ機能とを両立させることができる。
【００１３】
第３の発明は、第１の発明において、
前記導電部は、前記防水パッキン表面に一体形成された層状の導電性材料によって構成されていることを特徴とするものである。
【００１４】
第３の発明では、例えば、ダブルモールド（二色成形）や導電塗装によって、導電性材料を防水パッキン表面に層状に一体形成することができる。
【００１５】
第４の発明は、第３の発明において、
前記防水パッキンの周方向の一部には、非導電性材料で形成された非導電部が設けられ、
前記導電部は、前記非導電部を挟むように該非導電部の一端から前記防水パッキンを一周して該非導電部の他端まで延び、
前記導電部の一端及び他端は、前記回路基板にそれぞれ電気的に接続されていることを特徴とするものである。
【００１６】
第４の発明では、防水パッキンの一部が非導電性材料で形成されるとともに、導電部の両端部がそれぞれ回路基板に電気的に接続されているから、導電部の両端部をそれぞれ入力端子及び出力端子とした非ループ状のアンテナを形成することができる。
【００１７】
第５の発明は、第１乃至第４の発明のうち何れか１つにおいて、
前記防水パッキンには、該防水パッキンの周方向に沿って窪んだ嵌合溝が形成され、
前記防水パッキンは、前記防水用リブの周縁部に前記嵌合溝を嵌合させることで前記電池カバー側に取り付けられていることを特徴とするものである。
【００１８】
第５の発明では、防水パッキンの嵌合溝を防水用リブの周縁部に嵌合させることで、防水パッキンを電池カバー側に取り付けることができる。
【００１９】
第６の発明は、第１乃至第４の発明のうち何れか１つにおいて、
前記防水パッキンは、前記内壁に接着されることで前記携帯端末側に取り付けられていることを特徴とするものである。
【００２０】
第６の発明では、防水パッキンを内壁に接着させることで、防水パッキンを携帯端末側に取り付けることができる。
【発明の効果】
【００２１】
本発明によれば、枠状の防水パッキンが導電部を有する構成とし、この導電部を回路基板に電気的に接続させるようにしたから、防水パッキンをループアンテナとして機能させることができる。これにより、１つの防水パッキンで防水機能とアンテナ機能とを両立させることができ、部品点数を削減してコストダウンを図ることができる。
【図面の簡単な説明】
【００２２】
【図１】本発明の実施形態に係る防水携帯端末の構成を示す斜視図である。
【図２】防水携帯端末の構成を示す分解斜視図である。
【図３】図１のＡ−Ａ矢視断面図である。
【図４】図１のＢ−Ｂ矢視断面図である。
【図５】本変形例に係る防水携帯端末の構成を示す図４相当図である。
【図６】その他の実施形態に係る防水パッキンの構成を示す正面図である。
【図７】その他の実施形態に係る防水携帯端末の構成を示す図３相当図である。
【発明を実施するための形態】
【００２３】
以下、本発明の実施形態を図面に基づいて説明する。なお、以下の好ましい実施形態の説明は、本質的に例示に過ぎず、本発明、その適用物或いはその用途を制限することを意図するものではない。また、各図には、上下や前後左右の方向を矢印で示してある。特に言及しない限り、上下等の方向についてはこれら矢印で示す方向に従って説明する。
【００２４】
図１及び図２に示すように、防水携帯端末１０は、端末本体としての筐体２０を備えている。筐体２０は、表示部１１が収容された正面側キャビネット２１と、充電池１５が収容された背面側キャビネット２５とを有する。正面側キャビネット２１と背面側キャビネット２５との周縁部には、樹脂製のシールリング２２が挟持されている。また、正面側キャビネット２１と背面側キャビネット２５との間には、回路基板１２が収容されている。
【００２５】
背面側キャビネット２５の背面は、電池カバー１６で覆われている。背面側キャビネット２５は、例えば樹脂成形品で構成され、後述する防水用リブ１７の外周よりも一回り大きい内周を有する矩形枠状の内壁２６が一体成形されている。
【００２６】
図３及び図４に示すように、電池カバー１６は、例えば矩形皿状の樹脂成形品で構成され、その裏面には、矩形枠状の防水用リブ１７が一体成形されている。防水用リブ１７は、充電池１５の外形よりも一回り大きい内周を有する。この防水用リブ１７は、防水パッキン３０で覆われている。
【００２７】
防水パッキン３０は、防水用リブ１７の形状に対応して矩形枠状に形成されている。防水パッキン３０には、周方向に沿って窪んだ嵌合溝３１が形成されている。防水用リブ１７の周縁部に防水パッキン３０の嵌合溝３１を嵌合させることで、防水パッキン３０が電池カバー１６側に取り付けられている。防水パッキン３０の外周面には、膨出部３２が設けられている。膨出部３２は、背面側キャビネット２５の内壁２６に押し付けられ、防水用リブ１７と内壁２６との間が防水パッキン３０によって密封される。
【００２８】
また、防水パッキン３０は、導電性材料で形成されている。つまり、防水パッキン３０全体が導電部３０ａを構成している。内壁２６における防水パッキン３０との当接面には、導電回路３５が形成されている。導電回路３５は、例えばＬＤＳ（Laser Direct Structuring）やＭＩＤ（Molded Interconnect Device）によって形成される。導電回路３５は、内壁２６における防水パッキン３０との当接面から背面側キャビネット２５の背面部２７の背面、背面部２７の貫通孔２８の内周面、及び背面部２７の正面に沿って回路基板１２との対向面まで連続的に延びている。
【００２９】
回路基板１２には、接続端子１３が設けられている。接続端子１３の先端部は、導電回路３５に電気的に接続されている。これにより、防水パッキン３０は、導電回路３５及び接続端子１３を介して回路基板１２に電気的に接続されている。
【００３０】
このような構成とすれば、防水パッキン３０をループアンテナとして機能させることができる。これにより、１つの防水パッキン３０で防水機能とアンテナ機能とを両立させることができ、部品点数を削減してコストダウンを図ることができる。
【００３１】
なお、図５に示すように、防水パッキン３０を内壁２６に接着させることで、防水パッキン３０を筐体２０側に取り付けた構成としてもよい。この場合には、防水パッキン３０を内壁２６の導電回路３５に電気的に接続させてループアンテナとして機能させるとともに、防水用リブ１７の膨出部１７ａによって防水パッキン３０を内壁２６に押し付けて防水性を確保するようにすればよい。
【００３２】
《その他の実施形態》
前記実施形態については、以下のような構成としてもよい。
【００３３】
本実施形態では、防水パッキン３０全体を導電性材料で形成するようにしたが、この形態に限定するものではない。例えば、図６に示すように、矩形枠状の防水パッキン３０の周方向の一部のみを非導電性材料で形成された非導電部３０ｂとし、残りの部分を導電部３０ａとしてもよい。
【００３４】
具体的に、防水パッキン３０を樹脂材で形成し、非導電部３０ｂを除く部分、つまり、非導電部３０ｂを挟むように非導電部３０ｂの一端から防水パッキン３０を一周して非導電部３０ｂの他端まで延びる部分に対して、ダブルモールド（二色成形）や導電塗装を施し、防水パッキン３０表面に層状の導電部３０ａを一体形成すればよい。
【００３５】
そして、図７に示すように、入力用及び出力用の２つの接続端子１３を回路基板１２に設けるとともに、その先端部を導電回路３５に電気的に接続させることで、防水パッキン３０の導電部３０ａの両端部を接続端子１３にそれぞれ接続させる。これにより、導電部３０ａの両端部をそれぞれ入力端子及び出力端子とした非ループ状のアンテナを形成することができる。
【産業上の利用可能性】
【００３６】
以上説明したように、本発明は、充電池を覆う電池カバーを有する防水携帯端末について有用である。
【符号の説明】
【００３７】
１０    防水携帯端末
１２    回路基板
１５    充電池
１６    電池カバー
１７    防水用リブ
２０    筐体（端末本体）
２６    内壁
３０    防水パッキン
３０ａ  導電部
３０ｂ  非導電部
３１    嵌合溝
【図１】
2014057165.tif 000003
【図２】
2014057165.tif 000004
【図３】
2014057165.tif 000005
【図４】
2014057165.tif 000006
【図５】
2014057165.tif 000007
【図６】
2014057165.tif 000008
【図７】
2014057165.tif 000009